(57)【特許請求の範囲】
【請求項１】
ａ）通信網を介してギフト提供装置に接続した使用者端末機に、上記ギフト提供装置がギフトに相応する製品に関する情報を伝送する段階；
ｂ）上記使用者端末機によって、上記製品のうち少なくとも一つが選択され、上記使用者端末機の相手方にあたる受信端末機の情報が入力される段階；
ｃ）上記使用者端末機によって、上記製品をギフトとして提供又は要請するためのギフト提供ボタン又はギフト要請ボタンが選択される段階；
ｄ）上記使用者端末機によって、上記製品、上記受信端末機、及び上記ギフト提供ボタンが選択された場合、上記ギフト提供装置が上記製品に相応するギフトアイコンを上記受信端末機に提供する段階；
ｅ）上記使用者端末機によって、上記製品、上記受信端末機、及び上記ギフト要請ボタンが選択された場合、上記ギフト提供装置が上記ギフトアイコンに関する情報を上記受信端末機に伝送する段階；
ｆ）上記段階ｅ）の後に、上記受信端末機によって上記ギフトの要請に対する承諾ボタンが選択された場合、上記ギフトの提供に伴う決済のページが上記受信端末機にディスプレイされ、上記受信端末機が上記決済を完了すれば、上記ギフト提供装置が上記ギフトアイコンを上記使用者端末機に提供する段階；及び、
上記ギフトアイコンは使用期間が設定されていて、上記ギフト提供装置が、上記使用期間内に未使用の上記ギフトアイコンに相応する金額の返金又は積立金への転換に関する案内メッセージを、上記使用者端末機に伝送する段階を含み、
上記段階ｄ）は、
ｄ−１）上記ギフト提供装置が、上記ギフトアイコンを上記受信端末機に提供する時、上記受信端末機に上記ギフトアイコンの提供位置を問い合わせるメッセージを伝送する段階；及び、
ｄ−２）上記受信端末機から所定の移動端末機に上記ギフトアイコンを提供することを要請するメッセージが伝送された場合、上記ギフト提供装置が上記ギフトアイコンを上記移動端末機に提供する段階；を含むことを特徴とする通信網を利用したギフトアイコン提供方法。
【請求項２】
上記段階ｂ）は、
上記受信端末機の電話番号及びＥメールアドレスのうち少なくとも一つを含む住所録を読み出す段階；及び、
上記使用者端末機が上記住所録から上記受信端末機の情報を選択する段階；を含むことを特徴とする請求項１に記載の通信網を利用したギフトアイコン提供方法。
【請求項３】
上記使用者端末機及び上記受信端末機は、有線端末機又は移動端末機であることを特徴とする請求項２に記載の通信網を利用したギフトアイコン提供方法。
【請求項４】
上記使用者端末機及び上記受信端末機は、
上記通信網を介してリアルタイムメッセージ又はデータの送受信が可能なソフトウェアを駆動させ、上記ソフトウェアを通して上記ギフトアイコンを送受信することを特徴とする請求項１に記載の通信網を利用したギフトアイコン提供方法。
【請求項５】
上記段階ｄ−２）は、
ｄ−２ａ）上記ギフト提供装置が上記移動端末機に上記ギフトアイコンが保存されたＵＲＬを含むメッセージを伝送する段階をさらに含むことを特徴とする請求項１〜４のうち何れか１項に記載の通信網を利用したギフトアイコン提供方法。
【請求項６】
上記段階ｄ−２）は、
ｄ−２ｂ）上記移動端末機が上記ＵＲＬに接続して上記ギフトアイコンのダウンロードを要請することで、上記ギフトアイコンが上記移動端末機にダウンロードされる段階をさらに含むことを特徴とする請求項５に記載の通信網を利用したギフトアイコン提供方法。
【請求項７】
上記方法は、
ｇ）上記受信端末機が上記ギフトアイコンを受け取ると、受取り完了メッセージが上記ギフト提供装置に登録される段階をさらに含むことを特徴とする請求項１〜６のうち何れか１項に記載の通信網を利用したギフトアイコン提供方法。
【請求項８】
上記段階ｄ）は、
上記ギフト提供装置が、上記使用者端末機に上記ギフトの提供に伴う決済のためのＷｅｂページ又はＷＡＰページを伝送し、上記使用者端末機が上記決済を完了すれば、上記ギフトアイコンを上記受信端末機に提供することを特徴とする請求項１〜６のうち何れか１項に記載の通信網を利用したギフトアイコン提供方法。
【請求項９】
上記方法は、
上記ギフトアイコンを提供された端末機の画面に、答礼するボタンがディスプレイされる段階；及び、
上記端末機によって上記答礼するボタンが選択された場合、上記ギフト提供装置は、ギフトに相応する製品に関する情報又はギフトリストを上記端末機に伝送し、上記端末機によって上記情報又はギフトリストに基づいて製品が選択されれば、当該端末機の相手方にあたる端末機に上記製品に相応するギフトアイコンを提供する段階；をさらに含むことを特徴とする請求項４に記載の通信網を利用したギフトアイコン提供方法。
【請求項１０】
上記ギフト提供装置は、所定期間における上記ギフトアイコンの発送内訳を上記使用者端末機又は上記受信端末機に伝送することを特徴とする請求項１〜９のうち何れか１項に記載の通信網を利用したギフトアイコン提供方法。
【請求項１１】
上記ギフトアイコンはバーコード形態であることを特徴とする請求項１０に記載の通信網を利用したギフトアイコン提供方法。
【請求項１２】
上記方法は、
上記ギフト提供装置が、所定の商店に設置されたＰＯＳ（Point Of Sale）端末機から伝送されたバーコード形態のギフトアイコンの有効性を認証する段階；
上記ギフト提供装置が、上記ＰＯＳ端末機に上記認証完了に相応する認証コードを伝送する段階；及び、
上記バーコード形態のギフトアイコンが使われた場合に、上記ＰＯＳ端末機が上記ギフト提供装置に上記ギフトアイコンの受取り完了メッセージを伝送する段階；をさらに含むことを特徴とする請求項１１に記載の通信網を利用したギフトアイコン提供方法。
【請求項１３】
ｉ）通信網を介してギフト提供装置に接続した使用者端末機に、上記ギフト提供装置がギフトに相応する製品に関する情報を伝送する段階；
ii）上記使用者端末機によって、上記製品をギフトとして提供又は要請するためのギフト提供ボタン又はギフト要請ボタンが選択された場合に、上記ギフト提供装置が、上記使用者端末機に相応する住所録を上記使用者端末機に伝送する段階；
iii）上記使用者端末機によって、上記製品、上記ギフト提供ボタン、及び上記住所録から少なくとも一つの受信端末機の情報が選択された場合、上記ギフト提供装置が上記受信端末機に上記製品に相応するギフトアイコンのＵＲＬ（Unique Resource Locator）を含むメッセージを伝送する段階；
iv）上記受信端末機が上記ＵＲＬを用いて上記ギフト提供装置に接続し上記ギフトアイコンのダウンロードを要請した場合、上記ギフト提供装置が上記ギフトアイコンを上記受信端末機に提供する段階；
v）上記使用者端末機によって、上記製品、上記ギフト要請ボタン、及び上記住所録から少なくとも一つの受信端末機の情報が選択された場合、上記ギフト提供装置が上記受信端末機に上記ギフトアイコンに関する情報を伝送する段階；
vi）上記段階v）の後に、上記受信端末機によって上記ギフトの要請に対する承諾ボタンが選択された場合、上記ギフトの提供に伴う決済のページが上記受信端末機にディスプレイされ、上記受信端末機が上記決済を完了すれば、上記ギフト提供装置が上記ギフトアイコンを上記使用者端末機に提供する段階；及び、
上記ギフトアイコンは使用期間が設定されていて、上記ギフト提供装置が、上記使用期間内に未使用の上記ギフトアイコンに相応する金額の返金又は積立金への転換に関する案内メッセージを、上記使用者端末機に伝送する段階；を含み、
上記段階iv）は、
iv−１）上記ギフト提供装置が、上記ギフトアイコンを上記受信端末機に提供する時に、上記受信端末機が有線端末機である場合、上記受信端末機に上記ギフトアイコンの提供位置を問い合わせるメッセージを伝送する段階；及び、
iv−２）上記受信端末機から所定の移動端末機に上記ギフトアイコンを提供することを要請するメッセージが伝送された場合、上記ギフト提供装置が上記ギフトアイコンを上記移動端末機に提供する段階；を含むことを特徴とする通信網を利用したギフトアイコン提供方法。
【請求項１４】
上記段階iii）は、
iii−１）上記住所録は多数のグループに分類されて保存され、上記住所録から少なくとも一つのグループが選択されると、上記ギフト提供装置は上記ギフトの提供に伴う決済のためのＷｅｂページ又はＷＡＰページを上記使用者端末機に伝送する段階；及び、
iii−２）上記使用者端末機により銀行振込又はクレジットカードを利用した上記決済が行われる段階；を含むことを特徴とする請求項１３に記載の通信網を利用したギフトアイコン提供方法。
【請求項１５】
上記方法は、
上記使用者端末機により銀行振込又はクレジットカードを利用した上記決済が行われれば、上記ギフト提供装置が上記住所録の選択されたグループに属する移動端末機又はＥメールアドレスに上記ギフトアイコンを提供する段階をさらに含むことを特徴とする請求項１４に記載の通信網を利用したギフトアイコン提供方法。
【請求項１６】
上記ギフトアイコンは、ダウンロード期間及び使用期間のうち少なくとも一つが設定されていて、上記ダウンロード期間又は上記使用期間が経過すればダウンロード及び使用が禁止されることを特徴とする請求項１３に記載の通信網を利用したギフトアイコン提供方法。
【請求項１７】
上記方法は、
対象者が商店で上記ギフトを受け取ると、上記商店の端末機から受取り完了メッセージが上記ギフト提供装置に伝送されて登録される段階をさらに含むことを特徴とする請求項１３〜１６のうち何れか１項に記載の通信網を利用したギフトアイコン提供方法。
【請求項１８】
上記ギフト提供装置は所定期間における上記ギフトアイコンの発送内訳を上記使用者端末機に伝送することを特徴とする請求項１７に記載の通信網を利用したギフトアイコン提供方法。
【請求項１９】
Ａ−１）移動通信網を介してギフト提供装置に接続した移動端末機に、上記ギフト提供装置がギフトに相応する製品に関する情報を伝送する段階；
Ａ−２）上記移動端末機によって、上記製品をギフトとして提供又は要請するためのギフト提供ボタン又はギフト要請ボタン、上記製品のうち少なくとも一つ、及び、住所録から少なくとも一つの受信端末機の情報が選択される段階；
Ａ−２−１）上記移動端末機によって上記製品に相応するギフトアイコンの提供ボタンが選択された場合、上記ギフト提供装置が上記製品に相応するギフトアイコンを上記受信端末機に提供する段階；
Ａ−３）上記移動端末機によって上記製品に相応するギフトアイコンの要請ボタンが選択された場合、上記ギフト提供装置が上記ギフトアイコンに関する情報を上記受信端末機に伝送する段階；
Ａ−４）上記段階Ａ−３）の後に、上記受信端末機が上記ギフトの要請に対する承諾メッセージを選択して上記ギフトの提供に伴う決済を完了すれば、上記ギフト提供装置が上記移動端末機に上記ギフトアイコンのＵＲＬ（Unique Resource Locator）を含む所定のメッセージを伝送する段階；
Ａ−５）上記移動端末機が上記ＵＲＬに接続して上記ギフトアイコンのダウンロードを要請することで、上記ギフトアイコンが上記移動端末機にダウンロードされる段階；
上記ギフトアイコンを提供された移動端末機の情報、上記ギフトアイコンのダウンロード期間及び使用期間のうち、少なくとも一つが設定されて上記ギフト提供装置に記録される段階；及び、
上記ギフト提供装置は所定期間における上記ギフトアイコンの発送内訳を上記移動端末機又は上記受信端末機に伝送し、上記使用期間内に未使用の上記ギフトアイコンに相応する金額の返金又は積立金への転換に関する案内メッセージを、上記移動端末機に伝送する段階；を含み、
上記段階Ａ−４）は、
Ａ−４ａ）上記ギフト提供装置が、上記所定のメッセージを上記受信端末機に伝送する時に、上記受信端末機が有線端末機である場合、上記受信端末機に上記ギフトアイコンの提供位置を問い合わせるメッセージを伝送する段階；及び、
Ａ−４ｂ）上記受信端末機から所定の移動端末機に上記ギフトアイコンを提供することを要請するメッセージが伝送された場合、上記ギフト提供装置が上記ギフトアイコンを上記移動端末機に提供する段階；を含むことを特徴とする通信網を利用したギフトアイコン提供方法。
【請求項２０】
上記方法は、
Ａ−６）上記ギフトアイコンが上記移動端末機にダウンロードされれば、上記移動端末機の画面に、‘答礼する’ボタンがディスプレイされる段階；及び、
Ａ−７）上記移動端末機によって上記‘答礼する’ボタンが選択された場合、上記ギフト提供装置は、ギフトに相応する製品に関するギフトリストを上記移動端末機に伝送し、上記移動端末機によって上記ギフトリストに基づいて製品が選択されれば、上記受信端末機に上記製品に相応するギフトアイコンを提供する段階；をさらに含むことを特徴とする請求項１９に記載の通信網を利用したギフトアイコン提供方法。
【請求項２１】
Ａ−１）移動通信網を介してギフト提供装置に接続した移動端末機に、上記ギフト提供装置がギフトに相応する製品に関する情報を伝送する段階；
Ａ−２）上記移動端末機によって、上記製品のうち少なくとも一つ、及び、住所録から少なくとも一つの受信端末機の情報が選択される段階；
Ａ−３）上記移動端末機によって上記製品に相応するギフトアイコンの要請ボタンが選択された場合、上記ギフト提供装置が上記ギフトアイコンに関する情報を上記受信端末機に伝送する段階；
Ａ−４）上記段階Ａ−３）の後に、上記受信端末機が上記ギフトの要請に対する承諾メッセージを選択して上記ギフトの提供に伴う決済を完了すれば、上記ギフト提供装置が上記移動端末機に上記ギフトアイコンのＵＲＬ（Unique Resource Locator）を含む所定のメッセージを伝送する段階；及び、
Ａ−５）上記移動端末機が上記ＵＲＬに接続して上記ギフトアイコンのダウンロードを要請することで、上記ギフトアイコンが上記移動端末機にダウンロードされる段階を含み、
上記段階Ａ−４）は、
Ａ−４ａ）上記ギフト提供装置が、上記所定のメッセージを上記受信端末機に伝送する時に、上記受信端末機が有線端末機である場合、上記受信端末機に上記ギフトアイコンの提供位置を問い合わせるメッセージを伝送する段階；及び、
Ａ−４ｂ）上記受信端末機から所定の移動端末機に上記ギフトアイコンを提供することを要請するメッセージが伝送された場合、上記ギフト提供装置が上記ギフトアイコンを上記移動端末機に提供する段階；を含み
上記段階Ａ−４ｂ）は、
Ａ−４ｂ−１）上記ギフト提供装置が上記移動端末機に上記ギフトアイコンが保存されたＵＲＬを含むメッセージを伝送する段階；及び、
Ａ−４ｂ−２）上記移動端末機が上記ＵＲＬに接続して上記ギフトアイコンのダウンロードを要請することで、上記ギフトアイコンが上記移動端末機にダウンロードされる段階を含み、
上記ギフトアイコンはバーコード形態であり、
上記ギフトアイコンを提供された移動端末機の情報、上記ギフトアイコンのダウンロード期間及び使用期間のうち、少なくとも一つが設定されて上記ギフト提供装置に記録される段階；
上記ギフト提供装置は所定期間における上記ギフトアイコンの発送内訳を上記移動端末機又は上記受信端末機に伝送し、上記使用期間内に未使用の上記ギフトアイコンに相応する金額の返金又は積立金への転換に関する案内メッセージを、上記移動端末機に伝送する段階；
上記ギフト提供装置が、所定の商店に設置されたＰＯＳ（Point Of Sale）端末機から伝送されたバーコード形態のギフトアイコンの有効性を認証する段階；
上記ギフト提供装置が、上記ＰＯＳ端末機に上記認証完了に相応する認証コードを伝送する段階；及び、
上記バーコード形態のギフトアイコンが使われた場合に、上記ＰＯＳ端末機が上記ギフト提供装置に上記ギフトアイコンの受取り完了メッセージを伝送する段階；をさらに含むことを特徴とする通信網を利用したギフトアイコン提供方法。
【請求項２２】
Ｂ−１）有線通信網を介してリアルタイムメッセージ又はデータの送受信が可能なソフトウェア（以下、'メッセンジャー'と言う）を駆動した端末機に、ギフト提供装置がギフトに相応する製品に関する情報を伝送する段階；
Ｂ−１−１）上記端末機によって、上記製品、当該端末機の相手方にあたる相手方端末機、及び、上記製品をギフトとして提供するためのギフト提供ボタンが選択された場合、上記ギフト提供装置が上記製品に相応するギフトアイコンを上記相手方端末機に提供する段階；
Ｂ−２）上記端末機によって、上記製品、当該端末機の相手方にあたる相手方端末機、及び、上記製品をギフトとして要請するためのギフト要請ボタンが選択された場合、上記ギフト提供装置が上記製品に相応するギフトアイコンに関する情報を上記メッセンジャーを通して連結された上記相手方端末機に伝送する段階；
Ｂ−３）上記段階Ｂ−２）の後に、上記相手方端末機によって上記ギフトの要請に対する承諾メッセージが選択された場合、上記ギフトの提供に伴う決済のページが上記相手方端末機にディスプレイされ、上記相手方端末機が上記決済を完了すれば、上記ギフト提供装置が、上記端末機、又は上記端末機が上記メッセンジャーに登録した第１移動端末機に、上記ギフトアイコンを提供する段階；
Ｂ−６）上記ギフトアイコンを提供された端末機の情報、上記ギフトアイコンのダウンロード期間及び使用期間のうち、少なくとも一つが設定されてギフト提供サーバーに記録される段階；及び、
Ｂ−７）上記ギフト提供サーバーは所定期間における上記ギフトアイコンの発送内訳、及び、上記使用期間内に未使用の上記ギフトアイコンに相応する金額の返金又は積立金への転換に関する案内メッセージを、上記端末機又は上記相手方端末機に伝送する段階；を含み、
上記段階Ｂ−３）は、
Ｂ−３ａ）上記ギフト提供装置が、上記ギフトアイコンを提供する時に、上記相手方端末機が有線端末機である場合、上記相手方端末機に上記ギフトアイコンの提供位置を問い合わせるメッセージを伝送する段階；及び、
Ｂ−３ｂ）上記相手方端末機から前記第１移動端末機に上記ギフトアイコンを提供することを要請するメッセージが伝送された場合、上記ギフト提供装置が上記ギフトアイコンを上記第１移動端末機に提供する段階；を含むことを特徴とする通信網を利用したギフトアイコン提供方法。
【請求項２３】
上記方法は、
Ｂ−４）上記段階Ｂ−３）で上記ギフトアイコンが上記端末機又は上記第１移動端末機に提供された場合、上記端末機又は上記第１移動端末機の画面に、‘答礼する’ボタンがディスプレイされる段階；及び、
Ｂ−５）上記端末機又は上記第１移動端末機によって上記‘答礼する’ボタンが選択された場合、上記ギフト提供装置は、ギフトに相応する製品に関するギフトリストを上記端末機又は上記第１移動端末機に伝送し、上記端末機又は上記第１移動端末機によって上記ギフトリストに基づいて製品が選択されれば、上記相手方端末機に上記製品に相応するギフトアイコンを提供する段階；をさらに含むことを特徴とする請求項２２に記載の通信網を利用したギフトアイコン提供方法。
【請求項２４】
上記方法は、
上記ギフトアイコンを所持した使用者が所定の商店で上記ギフトを受け取ると、上記商店の端末機から伝送された受取り完了メッセージが上記ギフト提供サーバーに登録される段階をさらに含むことを特徴とする請求項２２又は２３に記載の通信網を利用したギフトアイコン提供方法。
【請求項２５】
Ｂ−１）有線通信網を介してリアルタイムメッセージ又はデータの送受信が可能なソフトウェア（以下、'メッセンジャー'と言う）を駆動した端末機に、ギフト提供装置がギフトに相応する製品に関する情報を伝送する段階；
Ｂ−２）上記端末機によって、上記製品、当該端末機の相手方にあたる相手方端末機、及び、上記製品をギフトとして要請するためのギフト要請ボタンが選択された場合、上記ギフト提供装置が上記製品に相応する、バーコード形態のギフトアイコンに関する情報を上記メッセンジャーを通して連結された上記相手方端末機に伝送する段階；
Ｂ−３）上記段階Ｂ−２）の後に、上記相手方端末機によって上記ギフトの要請に対する承諾メッセージが選択された場合、上記ギフトの提供に伴う決済のページが上記相手方端末機にディスプレイされ、上記相手方端末機が上記決済を完了すれば、上記ギフト提供装置が、上記端末機、又は上記端末機が上記メッセンジャーに登録した第１移動端末機に、上記ギフトアイコンを提供する段階； 
上記ギフト提供装置が、所定の商店に設置されたＰＯＳ（Point Of Sale）端末機から伝送されたバーコード形態の上記ギフトアイコンの有効性を認証する段階；
上記ギフト提供装置が、上記ＰＯＳ端末機に上記認証完了に相応する認証コードを伝送する段階；
上記バーコード形態のギフトアイコンが使われた場合に、上記ＰＯＳ端末機が上記ギフト提供装置に上記ギフトアイコンの受取り完了メッセージを伝送する段階；
Ｂ−６）上記ギフトアイコンを提供された端末機の情報、上記ギフトアイコンのダウンロード期間及び使用期間のうち、少なくとも一つが設定されてギフト提供サーバーに記録される段階；及び、
Ｂ−７）上記ギフト提供サーバーは所定期間における上記ギフトアイコンの発送内訳、及び、上記使用期間内に未使用の上記ギフトアイコンに相応する金額の返金又は積立金への転換に関する案内メッセージを、上記端末機又は上記相手方端末機に伝送する段階；を含み、
上記段階Ｂ−３）は、
Ｂ−３ａ）上記ギフト提供装置が、上記ギフトアイコンを提供する時に、上記相手方端末機が有線端末機である場合、上記相手方端末機に上記ギフトアイコンの提供位置を問い合わせるメッセージを伝送する段階；及び、
Ｂ−３ｂ）上記相手方端末機から前記第１移動端末機に上記ギフトアイコンを提供することを要請するメッセージが伝送された場合、上記ギフト提供装置が上記ギフトアイコンを上記第１移動端末機に提供する段階；を含むことを特徴とする通信網を利用したギフトアイコン提供方法。
【請求項２６】
ギフトに相応する製品に関する製品情報、又は上記製品情報に対応するＵＲＬ情報を、購買者端末機に伝送する製品情報管理部；
上記製品に相応するギフトアイコンを管理し、上記ギフトアイコンが使われたかの可否を管理するギフトアイコン管理部；及び、
上記購買者端末機又は受信端末機に上記ギフトアイコンを提供する制御部；を含み、
上記制御部は、
上記購買者端末機によって、上記製品情報管理部から伝送された情報に基づいて製品が選択され、且つ、上記製品をギフトとして提供するためのギフト提供ボタン、及び、上記受信端末機が選択された場合に、上記購買者端末機が上記ギフトの提供に伴う決済を完了すれば、上記ギフトアイコンを上記受信端末機に提供し、
上記購買者端末機によって、上記製品情報管理部から伝送された情報に基づいて製品が選択され、且つ、上記製品をギフトとして要請するためのギフト要請ボタン、及び、上記受信端末機が選択された場合、上記ギフトアイコンに関する情報を上記受信端末機に伝送し、その後、上記受信端末機が上記ギフトの要請に対する承諾ボタンを選択した場合、上記ギフトの提供に伴う決済のページを上記受信端末機にディスプレイし、上記受信端末機が上記決済を完了すれば、上記ギフトアイコンを上記購買者端末機に提供し、
上記ギフトアイコンは使用期間が設定されていて、上記使用期間内に未使用の上記ギフトアイコンに相応する金額の返金又は積立金への転換に関する案内メッセージを、上記購買者端末機又は上記受信端末機に伝送し、
上記ギフトアイコンを上記購買者端末機又は上記受信端末機に提供する時に、当該端末機が有線端末機である場合、当該端末機に上記ギフトアイコンの提供位置を問い合わせるメッセージを伝送し、
上記端末機から所定の移動端末機に上記ギフトアイコンを提供することを要請するメッセージが伝送された場合、上記ギフトアイコンを上記移動端末機に提供することを特徴とする通信網を利用したギフトアイコン提供装置。
【請求項２７】
上記装置は、
上記受信端末機の電話番号及びＥメールアドレスのうち少なくとも一つを含み、少なくとも一つのグループから成る住所録を管理して、上記購買者端末機の要請に応じて上記住所録を上記購買者端末機に伝送する住所録管理部をさらに含むことを特徴とする請求項２６に記載の通信網を利用したギフトアイコン提供装置。
【請求項２８】
上記ギフトアイコン管理部は、
上記住所録と連動して上記ギフトアイコンのダウンロード可否、使用可否、及び使用期間の経過可否を管理することを特徴とする請求項２７に記載の通信網を利用したギフトアイコン提供装置。
【請求項２９】
上記購買者端末機及び上記受信端末機は、有線端末機又は移動端末機であることを特徴とする請求項２６に記載の通信網を利用したギフトアイコン提供装置。
【請求項３０】
上記購買者端末機及び上記受信端末機は、
上記通信網を介してリアルタイムメッセージ又はデータの送受信が可能なソフトウェアを駆動させ、上記ソフトウェアを通して上記ギフトアイコンを送受信することを特徴とする請求項２６に記載の通信網を利用したギフトアイコン提供装置。
【請求項３１】
上記制御部は、
上記購買者端末機によって上記購買者端末機の画面にディスプレイされた上記ギフト提供ボタンが選択された場合、上記決済の画面を上記使用者端末機に伝送し、上記購買者端末機によって上記ギフト要請ボタンが選択された場合、案内メッセージ及び上記決済の画面を上記受信端末機に伝送することを特徴とする請求項２６〜３０のうち何れか１項に記載のギフトアイコン提供装置。
【請求項３２】
ギフトに相応する製品に関する情報を受信して上記情報に基づいて製品を選択し、少なくとも一つ以上の受信端末機を選択して、上記製品に相応するギフトアイコンが上記受信端末機に提供されたかの可否、及び上記ギフトアイコンの使用可否に関する情報を伝送される使用者端末機；及び、
上記使用者端末機に上記情報を伝送し、上記受信端末機に上記ギフトアイコンを提供して、上記ギフトアイコンのダウンロード可否、使用可否、及び使用期間の経過可否を管理するギフト提供装置；を含み、
上記使用者端末機が、上記製品をギフトとして提供するためのギフト提供ボタン、及び、上記受信端末機を選択した場合、上記ギフト提供装置が、上記ギフトアイコンを上記受信端末機に提供し、
上記使用者端末機が、上記製品をギフトとして要請するためのギフト要請ボタン、及び、上記受信端末機を選択した場合、上記ギフト提供装置は、上記ギフトアイコンに関する情報を上記受信端末機に伝送し、その後、上記受信端末機が上記ギフトの要請に対する承諾ボタンを選択した場合、上記ギフト提供装置は、上記ギフトの提供に伴う決済のページを上記受信端末機にディスプレイし、上記受信端末機が上記決済を完了すれば、上記ギフトアイコンを上記使用者端末機に提供し、
上記ギフトアイコンは使用期間が設定されていて、上記ギフト提供装置が、上記使用期間内に未使用の上記ギフトアイコンに相応する金額の返金又は積立金への転換に関する案内メッセージを、上記使用者端末機に伝送し、
上記ギフト提供装置が、上記ギフトアイコンを上記受信端末機に提供する時、前記受信端末機に上記ギフトアイコンの提供位置を問い合わせるメッセージを伝送し、
上記受信端末機から所定の移動端末機に上記ギフトアイコンを提供することを要請するメッセージが伝送された場合、上記ギフト提供装置が上記ギフトアイコンを上記移動端末機に提供することを特徴とする通信網を利用したギフトアイコン提供システム。
【請求項３３】
上記使用者端末機は、
住所録と連動して上記住所録に含まれたグループ別に、ギフトを要請することを特徴とする請求項３２に記載の通信網を利用したギフトアイコン提供システム。
【請求項３４】
上記使用者端末機及び上記受信端末機は、有線端末機又は移動端末機であることを特徴とする請求項３２又は３３に記載の通信網を利用したギフトアイコン提供システム。
【請求項３５】
上記使用者端末機及び上記受信端末機は、
上記通信網を介してリアルタイムメッセージ又はデータの送受信が可能なソフトウェアを駆動させ、上記ソフトウェアを通して上記ギフトアイコンを送受信することを特徴とする請求項３４に記載の通信網を利用したギフトアイコン提供システム。
【請求項３６】
上記使用者端末機又は上記受信端末機は、
上記ギフト提供装置から上記ギフトアイコンをダウンロードして保存し、上記ギフトアイコンに指定された加盟店で上記ギフトアイコンに相応する製品を提供されたり、上記ギフトアイコンの使用期間が経過すれば上記ギフト提供装置から上記ギフトアイコンの使用禁止メッセージが伝送されることを特徴とする請求項３５に記載の通信網を利用したギフトアイコン提供システム。
【請求項３７】
上記ギフト提供装置は、
上記ギフトアイコンを提供された端末機の画面に、‘答礼する’ボタンをディスプレイし、当該端末機によって上記‘答礼する’ボタン及び所定の製品が選択された場合、上記ギフトアイコンを提供した当該端末機の相手方にあたる相手方端末機に、上記所定の製品に相応するギフトアイコンを提供することを特徴とする請求項３６に記載の通信網を利用したギフトアイコン提供システム。
【請求項３８】
上記ギフト提供装置は、
指定された加盟店で上記ギフトアイコンに相応する製品を提供され、上記ギフトアイコンの使用期間が経過していれば、上記ギフトアイコンを提供された上記受信端末機に、使用禁止メッセージを伝送することを特徴とする請求項３７に記載の通信網を利用したギフトアイコン提供システム。 
【発明の詳細な説明】
【技術分野】
【０００１】
本発明は、通信網を利用したギフトアイコン提供方法、装置、及びシステムに関し、より詳しくは、通信網及び住所録を利用してギフトアイコンを一括又は選択的に送受信できる、通信網を利用したギフトアイコン提供方法、装置、及びシステムに関する。 
【背景技術】
【０００２】
一般に、保険外交員、セールスマンなどのように多数の顧客を持続的に管理しなければならない個人又は企業は、多数の顧客と親密感又は紐帯感を維持するために適切な時期ごとに所定のギフトを提供しなければならない。
【０００３】
また、多数の顧客らに小さなギフトを提供するために顧客等の住所が変更されたかどうかを毎度確認しなければならず、住所変更を予め確認できずにギフトを送った場合は搬送されるので、無駄な郵便配送料を支払うとの問題点があった。
【０００４】
また、インターネットを通してギフトを送る場合、ギフトを提供される対象者が多数であるならば、受取人及び差出人の郵便住所、電話番号、配送方法などをいちいち反復して記録しなければならず、誰に、何時、どんなギフトを提供したのかを記録したデータベースが具備されていないため、このような資料を具備しようとする場合には多くの時間や努力が要されるという問題点があった。
【発明の開示】
【発明が解決しようとする課題】
【０００５】
本発明は、上記の事情を勘案して案出されたものであり、本発明の目的は、使用者の住所録と連動して住所録全体、住所録のうち少なくとも一つのグループ、又は住所録から個別選択された少なくとも一つの住所にギフトアイコンを提供できる、通信網を利用したギフトアイコン提供方法、装置、及びシステムを提供することにある。 
【０００６】
本発明の他の目的は、メッセンジャーを通して連結された相手方にリアルタイムでギフトアイコンを提供したりギフトアイコンを要請することができる、メッセンジャーを用いたギフトアイコン提供方法、装置、及びシステムを提供することにある。 
【０００７】
本発明のさらに他の目的は、移動端末機を通して多数の受信端末機に製品に相応するギフトアイコンを一括提供できる、移動端末機を利用したギフトアイコン提供方法、装置、及びシステムを提供することにある。 
【課題を解決するための手段】
【０００８】
上記目的を達成するための本発明の第１観点による通信網を利用したギフトアイコン提供方法は、
ａ）通信網を介してギフト提供装置に接続した使用者端末機に、上記ギフト提供装置がギフトに相応する製品に関する情報を伝送する段階；
ｂ）上記使用者端末機によって、上記製品のうち少なくとも一つが選択され、上記使用者端末機の相手方にあたる受信端末機の情報が入力される段階；
ｃ）上記使用者端末機によって、上記製品をギフトとして提供又は要請するためのギフト提供ボタン又はギフト要請ボタンが選択される段階；
ｄ）上記使用者端末機によって、上記製品、上記受信端末機、及び上記ギフト提供ボタンが選択された場合、上記ギフト提供装置が上記製品に相応するギフトアイコンを上記受信端末機に提供する段階；
ｅ）上記使用者端末機によって、上記製品、上記受信端末機、及び上記ギフト要請ボタンが選択された場合、上記ギフト提供装置が上記ギフトアイコンに関する情報を上記受信端末機に伝送する段階；
ｆ）上記段階ｅ）の後に、上記受信端末機によって上記ギフトの要請に対する承諾ボタンが選択された場合、上記ギフトの提供に伴う決済のページが上記受信端末機にディスプレイされ、上記受信端末機が上記決済を完了すれば、上記ギフト提供装置が上記ギフトアイコンを上記使用者端末機に提供する段階；及び、
上記ギフトアイコンは使用期間が設定されていて、上記ギフト提供装置が、上記使用期間内に未使用の上記ギフトアイコンに相応する金額の返金又は積立金への転換に関する案内メッセージを、上記使用者端末機に伝送する段階を含み、
上記段階ｄ）は、
ｄ−１）上記ギフト提供装置が、上記ギフトアイコンを上記受信端末機に提供する時、上記受信端末機に上記ギフトアイコンの提供位置を問い合わせるメッセージを伝送する段階；及び、
ｄ−２）上記受信端末機から所定の移動端末機に上記ギフトアイコンを提供することを要請するメッセージが伝送された場合、上記ギフト提供装置が上記ギフトアイコンを上記移動端末機に提供する段階；を含む。 
【０００９】
上記目的を達成するための本発明の第２観点による通信網を利用したギフトアイコン提供方法は、
ｉ）通信網を介してギフト提供装置に接続した使用者端末機に、上記ギフト提供装置がギフトに相応する製品に関する情報を伝送する段階；
ii）上記使用者端末機によって、上記製品をギフトとして提供又は要請するためのギフト提供ボタン又はギフト要請ボタンが選択された場合に、上記ギフト提供装置が、上記使用者端末機に相応する住所録を上記使用者端末機に伝送する段階；
iii）上記使用者端末機によって、上記製品、上記ギフト提供ボタン、及び上記住所録から少なくとも一つの受信端末機の情報が選択された場合、上記ギフト提供装置が上記受信端末機に上記製品に相応するギフトアイコンのＵＲＬ（Unique Resource Locator）を含むメッセージを伝送する段階；
iv）上記受信端末機が上記ＵＲＬを用いて上記ギフト提供装置に接続し上記ギフトアイコンのダウンロードを要請した場合、上記ギフト提供装置が上記ギフトアイコンを上記受信端末機に提供する段階；
v）上記使用者端末機によって、上記製品、上記ギフト要請ボタン、及び上記住所録から少なくとも一つの受信端末機の情報が選択された場合、上記ギフト提供装置が上記受信端末機に上記ギフトアイコンに関する情報を伝送する段階；
vi）上記段階v）の後に、上記受信端末機によって上記ギフトの要請に対する承諾ボタンが選択された場合、上記ギフトの提供に伴う決済のページが上記受信端末機にディスプレイされ、上記受信端末機が上記決済を完了すれば、上記ギフト提供装置が上記ギフトアイコンを上記使用者端末機に提供する段階；及び、
上記ギフトアイコンは使用期間が設定されていて、上記ギフト提供装置が、上記使用期間内に未使用の上記ギフトアイコンに相応する金額の返金又は積立金への転換に関する案内メッセージを、上記使用者端末機に伝送する段階；を含み、
上記段階iv）は、
iv−１）上記ギフト提供装置が、上記ギフトアイコンを上記受信端末機に提供する時に、上記受信端末機が有線端末機である場合、上記受信端末機に上記ギフトアイコンの提供位置を問い合わせるメッセージを伝送する段階；及び、
iv−２）上記受信端末機から所定の移動端末機に上記ギフトアイコンを提供することを要請するメッセージが伝送された場合、上記ギフト提供装置が上記ギフトアイコンを上記移動端末機に提供する段階；を含む。 
【００１０】
上記目的を達成するための本発明の第３観点による通信網を利用したギフトアイコン提供方法は、
Ａ−１）移動通信網を介してギフト提供装置に接続した移動端末機に、上記ギフト提供装置がギフトに相応する製品に関する情報を伝送する段階；
Ａ−２）上記移動端末機によって、上記製品をギフトとして提供又は要請するためのギフト提供ボタン又はギフト要請ボタン、上記製品のうち少なくとも一つ、及び、住所録から少なくとも一つの受信端末機の情報が選択される段階；
Ａ−２−１）上記移動端末機によって上記製品に相応するギフトアイコンの提供ボタンが選択された場合、上記ギフト提供装置が上記製品に相応するギフトアイコンを上記受信端末機に提供する段階；
Ａ−３）上記移動端末機によって上記製品に相応するギフトアイコンの要請ボタンが選択された場合、上記ギフト提供装置が上記ギフトアイコンに関する情報を上記受信端末機に伝送する段階；
Ａ−４）上記段階Ａ−３）の後に、上記受信端末機が上記ギフトの要請に対する承諾メッセージを選択して上記ギフトの提供に伴う決済を完了すれば、上記ギフト提供装置が上記移動端末機に上記ギフトアイコンのＵＲＬ（Unique Resource Locator）を含む所定のメッセージを伝送する段階；
Ａ−５）上記移動端末機が上記ＵＲＬに接続して上記ギフトアイコンのダウンロードを要請することで、上記ギフトアイコンが上記移動端末機にダウンロードされる段階；
上記ギフトアイコンを提供された移動端末機の情報、上記ギフトアイコンのダウンロード期間及び使用期間のうち、少なくとも一つが設定されて上記ギフト提供装置に記録される段階；及び、
上記ギフト提供装置は所定期間における上記ギフトアイコンの発送内訳を上記移動端末機又は上記受信端末機に伝送し、上記使用期間内に未使用の上記ギフトアイコンに相応する金額の返金又は積立金への転換に関する案内メッセージを、上記移動端末機に伝送する段階；を含み、
上記段階Ａ−４）は、
Ａ−４ａ）上記ギフト提供装置が、上記所定のメッセージを上記受信端末機に伝送する時に、上記受信端末機が有線端末機である場合、上記受信端末機に上記ギフトアイコンの提供位置を問い合わせるメッセージを伝送する段階；及び、
Ａ−４ｂ）上記受信端末機から所定の移動端末機に上記ギフトアイコンを提供することを要請するメッセージが伝送された場合、上記ギフト提供装置が上記ギフトアイコンを上記移動端末機に提供する段階；を含む。  
上記目的を達成するための本発明の第４観点による通信網を利用したギフトアイコン提供方法は、
Ａ−１）移動通信網を介してギフト提供装置に接続した移動端末機に、上記ギフト提供装置がギフトに相応する製品に関する情報を伝送する段階；
Ａ−２）上記移動端末機によって、上記製品のうち少なくとも一つ、及び、住所録から少なくとも一つの受信端末機の情報が選択される段階；
Ａ−３）上記移動端末機によって上記製品に相応するギフトアイコンの要請ボタンが選択された場合、上記ギフト提供装置が上記ギフトアイコンに関する情報を上記受信端末機に伝送する段階；
Ａ−４）上記段階Ａ−３）の後に、上記受信端末機が上記ギフトの要請に対する承諾メッセージを選択して上記ギフトの提供に伴う決済を完了すれば、上記ギフト提供装置が上記移動端末機に上記ギフトアイコンのＵＲＬ（Unique Resource Locator）を含む所定のメッセージを伝送する段階；及び、
Ａ−５）上記移動端末機が上記ＵＲＬに接続して上記ギフトアイコンのダウンロードを要請することで、上記ギフトアイコンが上記移動端末機にダウンロードされる段階を含み、
上記段階Ａ−４）は、
Ａ−４ａ）上記ギフト提供装置が、上記所定のメッセージを上記受信端末機に伝送する時に、上記受信端末機が有線端末機である場合、上記受信端末機に上記ギフトアイコンの提供位置を問い合わせるメッセージを伝送する段階；及び、
Ａ−４ｂ）上記受信端末機から所定の移動端末機に上記ギフトアイコンを提供することを要請するメッセージが伝送された場合、上記ギフト提供装置が上記ギフトアイコンを上記移動端末機に提供する段階；を含み
上記段階Ａ−４ｂ）は、
Ａ−４ｂ−１）上記ギフト提供装置が上記移動端末機に上記ギフトアイコンが保存されたＵＲＬを含むメッセージを伝送する段階；及び、
Ａ−４ｂ−２）上記移動端末機が上記ＵＲＬに接続して上記ギフトアイコンのダウンロードを要請することで、上記ギフトアイコンが上記移動端末機にダウンロードされる段階を含み、
上記ギフトアイコンはバーコード形態であり、
上記ギフトアイコンを提供された移動端末機の情報、上記ギフトアイコンのダウンロード期間及び使用期間のうち、少なくとも一つが設定されて上記ギフト提供装置に記録される段階；
上記ギフト提供装置は所定期間における上記ギフトアイコンの発送内訳を上記移動端末機又は上記受信端末機に伝送し、上記使用期間内に未使用の上記ギフトアイコンに相応する金額の返金又は積立金への転換に関する案内メッセージを、上記移動端末機に伝送する段階；
上記ギフト提供装置が、所定の商店に設置されたＰＯＳ（Point Of Sale）端末機から伝送されたバーコード形態のギフトアイコンの有効性を認証する段階；
上記ギフト提供装置が、上記ＰＯＳ端末機に上記認証完了に相応する認証コードを伝送する段階；及び、
上記バーコード形態のギフトアイコンが使われた場合に、上記ＰＯＳ端末機が上記ギフト提供装置に上記ギフトアイコンの受取り完了メッセージを伝送する段階；をさらに含む。
【００１１】
上記目的を達成するための本発明の第５観点による通信網を利用したギフトアイコン提供方法は、
Ｂ−１）有線通信網を介してリアルタイムメッセージ又はデータの送受信が可能なソフトウェア（以下、'メッセンジャー'と言う）を駆動した端末機に、ギフト提供装置がギフトに相応する製品に関する情報を伝送する段階；
Ｂ−１−１）上記端末機によって、上記製品、当該端末機の相手方にあたる相手方端末機、及び、上記製品をギフトとして提供するためのギフト提供ボタンが選択された場合、上記ギフト提供装置が上記製品に相応するギフトアイコンを上記相手方端末機に提供する段階；
Ｂ−２）上記端末機によって、上記製品、当該端末機の相手方にあたる相手方端末機、及び、上記製品をギフトとして要請するためのギフト要請ボタンが選択された場合、上記ギフト提供装置が上記製品に相応するギフトアイコンに関する情報を上記メッセンジャーを通して連結された上記相手方端末機に伝送する段階； 
Ｂ−３）上記段階Ｂ−２）の後に、上記相手方端末機によって上記ギフトの要請に対する承諾メッセージが選択された場合、上記ギフトの提供に伴う決済のページが上記相手方端末機にディスプレイされ、上記相手方端末機が上記決済を完了すれば、上記ギフト提供装置が、上記端末機、又は上記端末機が上記メッセンジャーに登録した第１移動端末機に、上記ギフトアイコンを提供する段階；
Ｂ−６）上記ギフトアイコンを提供された端末機の情報、上記ギフトアイコンのダウンロード期間及び使用期間のうち、少なくとも一つが設定されてギフト提供サーバーに記録される段階；及び、
Ｂ−７）上記ギフト提供サーバーは所定期間における上記ギフトアイコンの発送内訳、及び、上記使用期間内に未使用の上記ギフトアイコンに相応する金額の返金又は積立金への転換に関する案内メッセージを、上記端末機又は上記相手方端末機に伝送する段階；を含み、
上記段階Ｂ−３）は、
Ｂ−３ａ）上記ギフト提供装置が、上記ギフトアイコンを提供する時に、上記相手方端末機が有線端末機である場合、上記相手方端末機に上記ギフトアイコンの提供位置を問い合わせるメッセージを伝送する段階；及び、
Ｂ−３ｂ）上記相手方端末機から前記第１移動端末機に上記ギフトアイコンを提供することを要請するメッセージが伝送された場合、上記ギフト提供装置が上記ギフトアイコンを上記第１移動端末機に提供する段階；を含む。
上記目的を達成するための本発明の第６観点による通信網を利用したギフトアイコン提供方法は、
Ｂ−１）有線通信網を介してリアルタイムメッセージ又はデータの送受信が可能なソフトウェア（以下、'メッセンジャー'と言う）を駆動した端末機に、ギフト提供装置がギフトに相応する製品に関する情報を伝送する段階；
Ｂ−２）上記端末機によって、上記製品、当該端末機の相手方にあたる相手方端末機、及び、上記製品をギフトとして要請するためのギフト要請ボタンが選択された場合、上記ギフト提供装置が上記製品に相応する、バーコード形態のギフトアイコンに関する情報を上記メッセンジャーを通して連結された上記相手方端末機に伝送する段階；
Ｂ−３）上記段階Ｂ−２）の後に、上記相手方端末機によって上記ギフトの要請に対する承諾メッセージが選択された場合、上記ギフトの提供に伴う決済のページが上記相手方端末機にディスプレイされ、上記相手方端末機が上記決済を完了すれば、上記ギフト提供装置が、上記端末機、又は上記端末機が上記メッセンジャーに登録した第１移動端末機に、上記ギフトアイコンを提供する段階； 
上記ギフト提供装置が、所定の商店に設置されたＰＯＳ（Point Of Sale）端末機から伝送されたバーコード形態の上記ギフトアイコンの有効性を認証する段階；
上記ギフト提供装置が、上記ＰＯＳ端末機に上記認証完了に相応する認証コードを伝送する段階；
上記バーコード形態のギフトアイコンが使われた場合に、上記ＰＯＳ端末機が上記ギフト提供装置に上記ギフトアイコンの受取り完了メッセージを伝送する段階；
Ｂ−６）上記ギフトアイコンを提供された端末機の情報、上記ギフトアイコンのダウンロード期間及び使用期間のうち、少なくとも一つが設定されてギフト提供サーバーに記録される段階；及び、
Ｂ−７）上記ギフト提供サーバーは所定期間における上記ギフトアイコンの発送内訳、及び、上記使用期間内に未使用の上記ギフトアイコンに相応する金額の返金又は積立金への転換に関する案内メッセージを、上記端末機又は上記相手方端末機に伝送する段階；を含み、
上記段階Ｂ−３）は、
Ｂ−３ａ）上記ギフト提供装置が、上記ギフトアイコンを提供する時に、上記相手方端末機が有線端末機である場合、上記相手方端末機に上記ギフトアイコンの提供位置を問い合わせるメッセージを伝送する段階；及び、
Ｂ−３ｂ）上記相手方端末機から前記第１移動端末機に上記ギフトアイコンを提供することを要請するメッセージが伝送された場合、上記ギフト提供装置が上記ギフトアイコンを上記第１移動端末機に提供する段階；を含む。
【００１３】
上記目的を達成するための本発明の第７観点による通信網を利用したギフトアイコン提供装置は、
ギフトに相応する製品に関する製品情報、又は上記製品情報に対応するＵＲＬ情報を、購買者端末機に伝送する製品情報管理部；
上記製品に相応するギフトアイコンを管理し、上記ギフトアイコンが使われたかの可否を管理するギフトアイコン管理部；及び、
上記購買者端末機又は受信端末機に上記ギフトアイコンを提供する制御部；を含み、
上記制御部は、
上記購買者端末機によって、上記製品情報管理部から伝送された情報に基づいて製品が選択され、且つ、上記製品をギフトとして提供するためのギフト提供ボタン、及び、上記受信端末機が選択された場合に、上記購買者端末機が上記ギフトの提供に伴う決済を完了すれば、上記ギフトアイコンを上記受信端末機に提供し、
上記購買者端末機によって、上記製品情報管理部から伝送された情報に基づいて製品が選択され、且つ、上記製品をギフトとして要請するためのギフト要請ボタン、及び、上記受信端末機が選択された場合、上記ギフトアイコンに関する情報を上記受信端末機に伝送し、その後、上記受信端末機が上記ギフトの要請に対する承諾ボタンを選択した場合、上記ギフトの提供に伴う決済のページを上記受信端末機にディスプレイし、上記受信端末機が上記決済を完了すれば、上記ギフトアイコンを上記購買者端末機に提供し、
上記ギフトアイコンは使用期間が設定されていて、上記使用期間内に未使用の上記ギフトアイコンに相応する金額の返金又は積立金への転換に関する案内メッセージを、上記購買者端末機又は上記受信端末機に伝送し、
上記ギフトアイコンを上記購買者端末機又は上記受信端末機に提供する時に、当該端末機が有線端末機である場合、当該端末機に上記ギフトアイコンの提供位置を問い合わせるメッセージを伝送し、
上記端末機から所定の移動端末機に上記ギフトアイコンを提供することを要請するメッセージが伝送された場合、上記ギフトアイコンを上記移動端末機に提供する。 
【００１４】
上記目的を達成するための本発明の第８観点による通信網を利用したギフト提供システムは、
ギフトに相応する製品に関する情報を受信して上記情報に基づいて製品を選択し、少なくとも一つ以上の受信端末機を選択して、上記製品に相応するギフトアイコンが上記受信端末機に提供されたかの可否、及び上記ギフトアイコンの使用可否に関する情報を伝送される使用者端末機；及び、
上記使用者端末機に上記情報を伝送し、上記受信端末機に上記ギフトアイコンを提供して、上記ギフトアイコンのダウンロード可否、使用可否、及び使用期間の経過可否を管理するギフト提供装置；を含み、
上記使用者端末機が、上記製品をギフトとして提供するためのギフト提供ボタン、及び、上記受信端末機を選択した場合、上記ギフト提供装置が、上記ギフトアイコンを上記受信端末機に提供し、
上記使用者端末機が、上記製品をギフトとして要請するためのギフト要請ボタン、及び、上記受信端末機を選択した場合、上記ギフト提供装置は、上記ギフトアイコンに関する情報を上記受信端末機に伝送し、その後、上記受信端末機が上記ギフトの要請に対する承諾ボタンを選択した場合、上記ギフト提供装置は、上記ギフトの提供に伴う決済のページを上記受信端末機にディスプレイし、上記受信端末機が上記決済を完了すれば、上記ギフトアイコンを上記使用者端末機に提供し、
上記ギフトアイコンは使用期間が設定されていて、上記ギフト提供装置が、上記使用期間内に未使用の上記ギフトアイコンに相応する金額の返金又は積立金への転換に関する案内メッセージを、上記使用者端末機に伝送し、
上記ギフト提供装置が、上記ギフトアイコンを上記受信端末機に提供する時、前記受信端末機に上記ギフトアイコンの提供位置を問い合わせるメッセージを伝送し、
上記受信端末機から所定の移動端末機に上記ギフトアイコンを提供することを要請するメッセージが伝送された場合、上記ギフト提供装置が上記ギフトアイコンを上記移動端末機に提供する。
【発明の効果】
【００１５】
以上で詳しく説明した通り、本発明の通信網を利用したギフト提供方法、装置及びそのシステムによると、多数の顧客を管理する保険外交員、金融営業マン、ファイナンシャルプランナーなどが住所録と連動してギフトを一括発送できるため、ギフトの提供における努力や費用を革新的に節減できるという効果がある。
【００１６】
一般にギフト提供サービスで提供される商品だけでなく、配送料より低い金額の商品や配送料が負担になる少額の商品に対してもリアルタイムでギフトを提供したりギフトの提供を相手方に要請することができるため、電子商取引がより活性化できるという長所がある。
【００１７】
移動端末機を通して多数の受信端末機に製品に相応するギフトアイコンを一括提供でき、使用者は多数の受信端末機の電話番号又はＥメール情報を一々入力することなく、ギフト提供装置に登録された住所録又は移動端末機のメモリーに保存された住所録を利用してギフトアイコンを簡便に提供できるという長所がある。
【００１８】
また、ギフトアイコンを受信すると直ぐにその答礼としてギフトアイコンを提供できる機能を付加することで、利用者の便宜を増大させると同時にギフトアイコンを通しての製品取引の活性化を図った。
【００１９】
更に、ギフト提供装置でギフトアイコンの使用期間、ダウンロード可否、使用可否などを管理して上記ギフトアイコンの重複使用を防止しただけでなく、相手方端末機に特定ギフトに対する決済を要請することで、決済能力と関係なく特定製品を獲得できるという効果がある。
【発明を実施するための最良の形態】
【００２０】
以下、添付図面を参照しながら本発明の望ましい実施例について説明する。
【００２１】
図１は、本発明の一実施例による通信網を利用したギフト提供システムを示している。ギフト提供システムは、使用者端末機１００、ギフト提供装置３００、受信端末機５００、加盟店端末機６００、及び決済サーバー（図示せず）を含んで構成される。
【００２２】
上記使用者端末機１００は、有線端末機１１０及び移動端末機１３０を含み、使用者端末機のメモリーに保存された住所録、又はギフト提供装置３００の所定領域に保存された住所録と連動して上記ギフト提供装置３００に、上記住所録に含まれているグループ別のギフト提供を要請し、上記ギフトの受信可否及び使用可否に関する情報を提供される。
【００２３】
ギフト提供装置３００は、上記製品情報が保存されているＵＲＬ（Unique Resource Locator）情報を上記使用者端末機１００に提供し、上記使用者端末機１００によって選択された住所録に上記製品に相応するギフトアイコン（Gift Icon）を提供し、上記ギフトアイコンのダウンロード可否、使用可否、及び使用期間の経過可否を管理する。
【００２４】
上記ギフト提供装置３００は、住所録管理モジュール３１０、製品情報管理モジュール３２０、ギフトアイコン管理モジュール３３０、制御モジュール３４０、通信モジュール３５０、及び住所録、上記製品に関する情報、ギフトアイコンに関連した情報を保存及び管理するデータベース３６０を含んで構成される。
【００２５】
住所録管理モジュール３１０は、受信端末機５００の電話番号及びＥメールアドレスのうち少なくとも一つを含み、少なくとも一つのグループからなる住所録を管理して使用者端末機１００の要請によって使用者端末機１００に住所録を提供する。 
【００２６】
製品情報管理モジュール３２０は、ギフトとして提供する製品に関する製品情報、又は上記製品情報に対応するＵＲＬ（Unique Resource Locator）情報を上記使用者端末機１００に提供する。
【００２７】
ギフトアイコン管理モジュール３３０は、上記製品に相応するギフトアイコンを管理及び提供し、上記製品情報を基に選択されたギフトアイコンが上記住所録と連動して提供されたかの可否、及び上記ギフトアイコンが使われたかの可否を管理する。また、上記ギフトアイコン管理モジュール３３０は、上記住所録と連動して上記ギフトアイコンのダウンロード可否、使用可否、及び使用期間経過可否を管理する。
【００２８】
制御モジュール３４０は、上記製品情報管理モジュール３２０から提供された製品のうち一つがギフトとして選択され、上記製品を受信する受信端末機５００が上記住所録から選択された後に決済が完了すれば、上記受信端末機５００に上記製品に相応するギフトアイコンを提供する。 
【００２９】
また、上記制御モジュール３４０は、上記ギフトアイコン管理部で管理する上記ギフトアイコンに関する情報を上記使用者端末機１００に提供し、一つの応用例として、上記使用者端末機１００が一定期間ギフトとして提供したギフト目録及び受信端末機５００の電話番号又はＥメール情報などを当該使用者端末機１００に周期的に提供する。 
【００３０】
一つの応用例として、有線端末機１１０及び受信端末機５００は、有線通信網を介してリアルタイムメッセージ又はデータの送受信が可能なソフトウェア（以下、'メッセンジャー'と言う）が駆動し、上記メッセンジャーの一例が図１３に示されている。
【００３１】
有線端末機１１０は、製品情報管理モジュール１１２、ギフトアイコン管理モジュール１１４、及び制御モジュール１１６を含んで構成される。
【００３２】
上記製品情報管理モジュール１１２は、ギフトとして提供するか又はギフトとして要請する製品に関する製品情報、又は上記製品情報に対応するＵＲＬ情報を有線端末機１１０の画面にディスプレイし、上記製品情報及び上記ＵＲＬ情報はギフト提供装置３００から提供される。
【００３３】
上記ギフトアイコン管理モジュール１１４は、上記製品に相応するギフトアイコンを管理及び提供し、上記ギフトアイコンが使われたかの可否を管理する。上記ギフトアイコンは、上記ギフト提供装置３００で生成して提供することが望ましい。
【００３４】
また、上記ギフトアイコンに対する使用期間の管理、使用可否の管理などを有線端末機１１０が行うとしても、その内容を周期的にギフト提供装置３００に伝送して上記ギフト提供装置３００が統合管理するように具現する。
【００３５】
制御モジュール１１６は、上記製品情報管理モジュール１１２から提供された製品のうちの一つがギフトとして選択され、上記ギフトを提供または要請すべき受信端末機５００が選択された後に決済が完了すれば、上記メッセンジャーを通して上記受信端末機５００に上記ギフトアイコンを提供する。 
【００３６】
また、上記制御モジュール１１６は、上記有線端末機１１０の画面にディスプレイされた上記ギフトの提供ボタンが選択されれば、上記ギフトの提供に伴う決済画面をディスプレイし、上記ギフトの要請ボタンが選択されれば上記ギフトを要請する受信端末機５００の画面に案内メッセージ及び上記決済画面をディスプレイする。 
【００３７】
上記有線端末機１１０及び受信端末機５００で駆動されるメッセンジャーには、上記有線端末機１１０及び受信端末機５００の使用者が各々登録した第１及び第２移動端末機の電話番号が登録されていて、送受信されるギフトアイコンは使用者の選択によって又は自動で登録された上記第１及び第２移動端末機に伝送される。
【００３８】
上記第１及び第２移動端末機は、上記ギフトアイコンに指定された加盟店で上記ギフトアイコンに相応する製品を提供されたり、上記ギフトアイコンの使用期間が経過した場合は上記ギフト提供装置３００から上記ギフトアイコンの使用禁止メッセージを受信する。
【００３９】
（第１実施例）
上記のように構成された本発明の作動状態について説明する。
図２は、本発明の第１実施例によるギフト提供方法を説明するためのメッセージフローチャートである。
【００４０】
通信網２００を通して使用者端末機１００がギフト提供装置３００に接続されれば、上記ギフト提供装置３００はギフトとして提供する製品に関する情報を上記使用者端末機１００に提供する（Ｓ２１０、Ｓ２２０）。上記使用者端末機１００がギフト提供装置３００に接続された時に提供されるＷｅｂページの一例が図５に示されている。
【００４１】
図５のＷｅｂページで、ギフトを授受できる多数の製品に対するイメージ情報と一緒にその詳細情報を照会しようとする場合は、図５の参照番号５１０又は５２０を選択する。上記参照番号５１０又は５２０を選択した場合、図６のＷｅｂページが使用者端末機１００の画面にディスプレイされる。
【００４２】
上記使用者端末機１００の使用者が上記製品に関する情報の提供を受けた後に上記製品のうちの一つを上記ギフトとして選択すれば、上記使用者端末機１００のＩＤに対応する住所録が、図７に示したように上記使用者端末機１００の画面にディスプレイされる（Ｓ２３０）。
【００４３】
上記住所録には、受信端末機５００が有線端末機である場合はＥメールアドレス（e-mail address）、受信端末機５００が移動端末機である場合は短文メッセージ又はマルチメディアメッセージを受信できる電話番号が、記録されている。 
【００４４】
上記使用者端末機１００は上記選択した製品を、選択された受信端末機５００にギフトとして提供しようとするギフト提供要請メッセージ、又は上記製品をプレゼントしてもらおうとするギフト受信要請メッセージを上記ギフト提供装置３００に伝送する（Ｓ２４０）。 
【００４５】
上記ギフト提供装置３００が上記ギフト提供要請メッセージを受信した場合、上記製品に相応するギフトアイコンを上記受信端末機５００に提供する。この時、上記ギフト提供装置３００は上記使用者端末機１００に上記ギフトに対する代金決済を要請するために決済用Ｗｅｂページを提供し、上記決済が完了すれば上記ギフトのアイコンを上記受信端末機５００に提供する。上記受信端末機５００が上記ギフトアイコンを受け取ると、受取り完了メッセージが上記ギフト提供装置３００に登録される。
【００４６】
しかし、ギフト提供装置３００が上記ギフト受信要請メッセージを受信した場合、即ち、上記使用者端末機１００の使用者が上記受信端末機５００に上記ギフトを買ってくれとせがむ場合、上記ギフト提供装置３００は上記使用者端末機１００から受信された要請事項を上記受信端末機５００に伝達する（Ｓ２５０）。上記使用者端末機１００のギフト受信要請メッセージの作成要請に応じて、上記ギフト提供装置３００が上記使用者端末機１００に提供するＷｅｂ／ＷＡＰページの一例が図８に示されている。
【００４７】
図８のＷｅｂ／ＷＡＰページを利用して使用者端末機１００は、０１０−ａａａ−ｂｂｂｂの電話番号を有する受信端末機５００に三角おにぎりを買ってほしいと要請する。
【００４８】
上記受信端末機５００から承諾メッセージを受信したギフト提供装置３００は、上記受信端末機５００に上記ギフトに対する代金決済用Ｗｅｂ／ＷＡＰページを提供し、決済が完了すれば上記使用者端末機１００に上記ギフトアイコンを提供する（Ｓ２６０、Ｓ２７０）。
【００４９】
（第２実施例）
図３は、本発明の第２実施例による通信網を利用したギフト提供方法を説明するためのメッセージフローチャートである。
【００５０】
第２実施例では、使用者端末機１００がギフト提供装置３００に顧客の住所録を登録して管理する場合、上記ギフト提供装置３００から提供された顧客の住所録を利用し一括してギフトを提供する方法について説明する。 
【００５１】
通信網を介してギフト提供装置３００に接続した使用者端末機１００に、上記ギフト提供装置３００はギフトとして提供すべき製品に関する情報を提供する（Ｓ３１０、Ｓ３２０）。
【００５２】
上記使用者端末機１００がギフトを選択した場合、上記ギフト提供装置３００は、上記使用者端末機１００のＩＤに相応する住所録を上記使用者端末機１００に提供し、上記使用者端末機１００は上記住所録に保存された全ての顧客の住所を選択する（Ｓ３３０、Ｓ３４０）。一つの応用例として、上記使用者端末機１００は上記住所録のリストの中で特定顧客を選択することができ、上記顧客の住所は移動端末機の電話番号である。
【００５３】
上記使用者端末機１００が上記製品を受信する少なくとも一つの対象者を上記住所録から選択すると、上記ギフト提供装置３００は、上記対象者（受信端末機５００）の移動端末機に上記ギフトに相応するＵＲＬを含む短文メッセージを提供する（Ｓ３５０）。 
【００５４】
上記移動端末機が上記ＵＲＬを利用して上記ギフト提供装置３００に接続し上記ギフトのダウンロードを要請すれば、上記製品に相応するギフトアイコンが上記移動端末機に提供される（Ｓ３６０）。 
【００５５】
上記ギフトアイコンは、ダウンロード期間及び使用期間のうち少なくとも一つが設定されていて、期間が経過すればダウンロード及び使用が禁止され、上記使用期間が経過したり上記ギフトアイコンが使われた場合には上記ギフト提供サーバー３００は使用禁止メッセージを上記移動端末機に提供する（Ｓ３８０）。 
【００５６】
一つの応用例として、上記対象者が商店で上記ギフトを受け取ると、上記商店の端末機から伝送された受取り完了メッセージが上記ギフト提供装置３００に登録されるように具現することができる。
【００５７】
付言すれば、上記ギフトアイコンはバーコード形態なので、上記ギフト提供装置３００は所定の商店に設置されたＰＯＳ（Point Of Sale）端末機から伝送されたバーコード形態のギフトアイコンの有効性を認証して、上記ＰＯＳ端末機に上記認証完了に相応する認証コードを伝送する。上記認証コードを受信した後に、上記バーコード形態のギフトアイコンの使用が許されて、上記ＰＯＳ端末機は上記ギフト提供装置に上記ギフトアイコンの受取り完了メッセージを伝送する。
【００５８】
（第３実施例）
図４は、本発明の第３実施例による通信網を利用したギフト提供方法を説明するためのメッセージフローチャートである。
【００５９】
第３実施例では、顧客の住所録がグループ化していてグループ別に違うギフトを一括提供することが可能であり、ギフト選択後に決済が完了したとしても顧客がギフトアイコンを使用しなかった場合には、未使用分について返金などの補償を使用者端末機１００の使用者に提供する方法を提示する。 
【００６０】
通信網を介してギフト提供装置３００に接続した使用者端末機１００からグループ化した顧客の住所録がギフト提供装置３００に登録された後に、上記ギフト提供装置３００に接続した上記使用者端末機１００に、ギフトとして提供する製品に関する情報が提供される（Ｓ４１０、Ｓ４２０）。上記使用者端末機１００が所定のギフトを選択した場合、上記ギフト提供装置３００は上記使用者端末機１００により登録された住所録を上記使用者端末機１００に提供する（Ｓ４３０、Ｓ４４０）。
【００６１】
一つの応用例として、上記使用者端末機１００のメモリーにグループ化した顧客の住所録が保存される場合、上記使用者端末機１００がギフトとして所定の製品を選択すると、上記使用者端末機１００のメモリーに保存された住所録が上記使用者端末機１００の画面にディスプレイされる。
【００６２】
上記住所録から少なくとも一つのグループが選択されると、上記ギフト提供装置３００は決済のためのＷｅｂページを上記使用者端末機１００に伝送する（Ｓ４５０）。
決済のためのＷｅｂページの一例が図９に示されており、図９のＷｅｂページは、ギフト代金が移動端末機の料金に合算されるように［phone bill］項目を選択する場合に使用者端末機１００の使用者が入力すべき項目をディスプレイしている。
【００６３】
上記使用者端末機１００により銀行振込又はクレジットカードを利用した決済を行えば、上記グループに属する受信端末機５００の移動端末機又はＥメールアドレスに上記製品に相応するギフトアイコンを提供する（Ｓ４６０、Ｓ４７０）。 
【００６４】
上記ギフトアイコンは使用期間が設定されていて、上記ギフト提供装置３００は上記使用期間内に未使用の上記ギフトアイコンに相応する金額の返金又は積立金への転換に関する案内メッセージを使用者端末機１００に提供し、同時に又は順次的に、使用期間が経過したギフトアイコンを有する受信端末機５００の移動端末機又は使用者端末機１００に上記ギフトアイコンに対する使用禁止メッセージを伝送する（Ｓ４８０、Ｓ４９０、Ｓ４９５）。 
【００６５】
上記ギフト提供装置３００は、所定期間のギフト発送内訳を上記使用者端末機１００に提供し、上記発送内訳は図１０に示したように［My Page］に登録して管理することができる。 
【００６６】
（第４実施例）
図１１は、本発明の第４実施例によるメッセンジャーを利用したギフトアイコン送受信方法を説明するための順序図である。
【００６７】
図１１を参照すれば、使用者端末機１００及び受信端末機５００は、有線通信網を介してリアルタイムメッセージ又はデータの送受信が可能なソフトウェア（以下、'メッセンジャー'と言う）を各々駆動して互いに連結され、図１３に示すようなメッセンジャーウィンドウが画面にディスプレイされる（Ｓ１１１０）。
【００６８】
図１３に示すメッセンジャーウィンドウ１３００でflashconメニュー１３２０を選択すれば、ギフトに相応する製品に関する情報がディスプレイされ、マウスポインタを製品に合わせると［プレゼントする］項目及び［せがむ］項目がディスプレイされる（Ｓ１１２０）。
【００６９】
図１３のメッセンジャーウィンドウ１３００で望みの製品にマウスポインタを合わせて［プレゼントする］項目１３４０又は［せがむ］項目１３６０のうち［プレゼントする］項目１３４０、つまりギフト提供項目が選択されると、図１４のような伝送ウィンドウがディスプレイされ、上記伝送ウィンドウに、上記製品に相応するギフトアイコンを受信すべき受信端末機５００の電話番号を入力する（Ｓ１１３０、Ｓ１１４０）。 
【００７０】
一つの応用例として、上記ギフトアイコンを受信する受信端末機５００が多数である場合、図１５に示したような伝送ウィンドウがディスプレイされて多数の受信端末機５００の電話番号を入力し、上記ギフトアイコンを伝送することができる。 
【００７１】
上記ギフトに対する決済が完了すれば上記使用者端末機１００はメッセンジャーを通して上記受信端末機５００に上記ギフトアイコンを伝送し、ギフトアイコンを送信する送信者の使用者端末機１００及び受信者の受信端末機５００に各々ディスプレイされるギフトアイコン伝送ウィンドウ１６１０、１６３０が図１６に示されている（Ｓ１１５０、Ｓ１１６０）。 
【００７２】
一つの応用例として、上記ギフトアイコンが上記受信端末機５００に伝送される時、上記受信端末機５００に連携した移動端末機に、上記ギフトアイコンが保存されたＵＲＬを含む所定の短文メッセージを提供することが可能である（図１６の図面番号１６５０参照）。
【００７３】
上記移動端末機が上記ＵＲＬを利用してギフト提供装置３００に接続し上記ギフトのダウンロードを要請すると、上記製品に相応するギフトアイコンを上記移動端末機に提供する。
【００７４】
（第５実施例）
図１２は、本発明の第５実施例によるメッセンジャーを利用したギフトアイコン送受信方法を説明するための順序図である。
【００７５】
有線通信網を介してリアルタイムメッセージ又はデータの送受信が可能なソフトウェア（以下、'メッセンジャー'という）を各々駆動した使用者端末機１００及び受信端末機５００が互いに連結されれば、図１３に示したようなメッセンジャーウィンドウ１３００がディスプレイされる（Ｓ１２００）。
【００７６】
上記使用者端末機１００の画面にディスプレイされたメッセンジャーウィンドウ１３００でflashconメニュー１３２０を選択すれば、ギフトに相応する製品に関する情報がディスプレイされ、マウスポインタを製品に合わせると［プレゼントする］項目及び［せがむ］項目がディスプレイされる（Ｓ１２１０）。
【００７７】
図１３のメッセンジャーウィンドウ１３００で望みの製品にマウスポインタを合わせて［プレゼントする］項目１３４０又は［せがむ］項目１３６０のうちの［せがむ］項目１３６０、つまりギフト要請項目が選択されると、図１４のような伝送ウィンドウがディスプレイされ、上記伝送ウィンドウに、上記製品に相応するギフトアイコンを要請する受信端末機５００の電話番号を入力した後、ギフト要請メッセージを上記受信端末機５００に伝送する（Ｓ１２２０、Ｓ１２３０）。 
【００７８】
一つの応用例として、上記ギフトアイコンを要請する受信端末機５００が多数である場合、多数の受信端末機５００の電話番号を入力して上記ギフトアイコンを伝送することができる。 
【００７９】
上記受信端末機５００が上記ギフトの要請に応じる承諾メッセージを選択すると、上記使用者端末機１００又は当該使用者端末機１００と連結された第１移動端末機に、上記製品に相応するギフトアイコンを提供する（Ｓ１２４０、Ｓ１２５０）。上記第１移動端末機は、上記使用者端末機１００の使用者がメッセンジャーに登録した移動端末機であり、第２移動端末機は、受信端末機５００の使用者がメッセンジャーに登録した移動端末機である。 
【００８０】
図１７を参照すると、一つの応用例として、受信端末機５００にギフト要請メッセージを送った後の使用者端末機１００に、参照番号１７１０のメッセンジャーウィンドウがディスプレイされ、受信端末機５００が上記ギフト要請に承諾して決済が完了すれば参照番号１７３０のメッセージが第１移動端末機に伝送される。図１８には、上記使用者端末機１００のギフト要請により受信端末機５００にディスプレイされるメッセンジャーウィンドウ１８００、上記ギフト要請に承諾して決済を行うための決済ウィンドウ１８２０、及び決済が完了した後のメッセンジャーウィンドウ１８４０が示されている。
【００８１】
この時、上記ギフトアイコンを受信した使用者端末機１００又は第１移動端末機の情報、上記ギフトアイコンのダウンロード期間及び使用期間のうち少なくとも一つが設定されてギフト提供装置３００に記録され、上記ギフトアイコンが使われるか使用期間が経過した場合、上記ギフト提供装置３００は上記ギフトアイコンがこれ以上使用されないように使用禁止措置を取り、一つの応用例として、上記ギフト提供装置３００は上記ギフトアイコンに対する使用禁止メッセージを上記ギフトアイコンをダウンロードした端末機に伝送する。 
【００８２】
また、上記ギフトアイコンを所持した使用者が所定の商店で上記ギフトを受け取ると、上記商店の端末機から伝送された受取り完了メッセージが上記ギフト提供装置３００に登録されて上記ギフトアイコンの重複使用を防止する。
【００８３】
一つの応用例として、上記ギフトアイコンは使用期間が設定されていて、上記使用期間内に未使用の上記ギフトアイコンに相応する金額の返金又は積立金への転換に関する案内メッセージを、上記ギフトアイコンに対して決済を行った端末機に提供する。また、上記ギフト提供装置３００は所定期間における上記ギフトアイコンの発送内訳を、上記使用者端末機１００又は上記受信端末機５００に提供することができる。
【００８４】
上記ギフトアイコンが上記使用者端末機１００又は第１移動端末機に伝送された場合に、上記使用者端末機１００又は上記第１移動端末機の画面には‘答礼する’ボタンがディスプレイされる。
【００８５】
一つの応用例として、上記ギフトアイコンが上記使用者端末機１００に伝送されると、上記使用者端末機１００は上記第１移動端末機に上記ギフトアイコンをダウンロードすることができる。
【００８６】
もう一つの応用例を図１９を参照して詳細に説明すると、上記受信端末機５００が上記ギフトアイコンの伝送を要請すると、参照番号１９１０のように第１移動端末機の画面にギフトアイコンに対する案内メッセージが伝送され、第１移動端末機の使用者によりギフトアイコンのダウンロードが完了すれば（参照番号１９２０及び１９３０参照）、上記第１移動端末機の画面に参照番号１９４０のような‘答礼する’ボタンが生成される（Ｓ１２６０）。
【００８７】
この時、使用者により上記‘答礼する’ボタンが選択されると、図１９に示したようにギフト情報又はギフトリスト（図示せず）がディスプレイされ、使用者が答礼として少なくとも一つのギフトを選択するようにする。以下、ギフト選択後の決済過程は上記と同様である（Ｓ１２７０）。
【００８８】
上記答礼するボタンが選択されてギフトが決定されれば、上記受信端末機５００又は第２移動端末機に上記製品に相応するギフトアイコンが伝送される（Ｓ１２８０）。
【００８９】
（第６実施例）
図２１は、本発明の第６実施例による移動端末機を利用したギフトアイコン提供方法を説明するためのメッセージフローチャートである。
【００９０】
移動通信網を介してギフト提供装置３００に接続すれば、図２４及び図２５に示したようなＷＡＰページがディスプレイされ、上記ＷＡＰページ２４００を通して移動端末機１３０にギフトに相応する製品に関する情報が提供される（Ｓ２１１０、Ｓ２１２０）。
【００９１】
図２４のＷＡＰページ２４００を察すると、上記ＷＡＰページ２４００にはギフトの提供ボタン２４１０、ギフトの要請ボタン２４２０、及び上記製品に関する情報を提供するギフトリスト２４３０が含まれ、上記ギフトの提供ボタン２４１０を選択した後にディスプレイされるギフトリスト２４３０から一つを選択してギフトに相応する製品に関する情報２４７０を獲得することができる。
【００９２】
一つの応用例として、上記ＷＡＰページ２４００で参照番号２４３０のボタンのうち一つを選択すると、該当製品に関する情報（図２５の２４７０参照）がディスプレイされる。
【００９３】
製品を選択すれば、図２５の参照番号２４９０のＷＡＰページが上記移動端末機１３０の画面にディスプレイされ、住所録検索項目２４９２を選択すれば上記移動端末機１３０に保存された住所録がディスプレイされて、上記製品に相応するギフトアイコンを受信する受信端末機５００が住所録から少なくとも一つ選択される（Ｓ２１３０）。
【００９４】
一つの応用例として、図２５の参照番号２４９０のＷＡＰページには受信端末機の電話番号又はＥメールを直接入力できる項目２４９４が備えられている。
【００９５】
上記移動端末機１３０が上記ギフトアイコンの提供ボタン２４１０を選択すれば、ギフト提供要請メッセージが上記ギフト提供装置３００に伝送されて、上記ギフト提供要請メッセージによるギフトアイコンが上記受信端末機５００に提供される（Ｓ２１４０、Ｓ２１５０）。
【００９６】
付言すれば、上記移動端末機１３０が上記提供ボタンを選択した場合、上記移動端末機１３０に決済のためのＷＡＰページがディスプレイされ、上記決済が完了すれば上記ギフトアイコンが上記受信端末機５００に提供される。
【００９７】
上記ギフトアイコンは、図２８の参照番号２６００に示したようにＵＲＬを含む文字メッセージとして到着し、上記ＵＲＬ２６１０を選択すれば参照番号２６２０のような画面が上記受信端末機５００にディスプレイされる。この時、ギフトアイコンのダウンロードボタン２６３０を選択して上記ギフト提供装置３００、又は上記ＵＲＬを介して接続された所定のサーバーからギフトアイコンをダウンロード完了すれば、‘答礼する’ボタン２６５０がディスプレイされる。上記ダウンロード完了したギフトアイコンの一例が図２８に示されている。
【００９８】
図２９は、上記受信端末機５００が上記‘答礼する’ボタン２６５０を選択した場合に上記受信端末機５００の画面にディスプレイされる上記製品に関する情報又はギフトリストを示したものである。
【００９９】
上記‘答礼する’ボタン２６５０の選択後に上記ギフトが選択されれば、上記受信端末機５００にギフトアイコンを提供した移動端末機１３０の電話番号２７１０がディスプレイされ、使用者が追加で他の移動端末機の電話番号を入力することも可能である（Ｓ２１６０、Ｓ２１６５）。 
【０１００】
これにより、上記受信端末機５００の相手方にあたる端末機に上記製品に相応するギフトアイコンが伝送される（Ｓ２１７０）。 
【０１０１】
上記ギフトアイコンは使用期間が設定されていて、上記使用期間内に未使用の上記ギフトアイコンに相応する金額の返金又は積立金への転換に関する案内メッセージが、上記ギフトアイコンをプレゼントした移動端末機１３０及び受信端末機５００に順に又は同時に提供される（Ｓ２１８０、Ｓ２１９０、Ｓ２１９５）。
【０１０２】
一つの応用例として、上記ギフトアイコンはバーコード形態なので、上記ギフト提供装置３００は所定の商店に設置されたＰＯＳ（Point Of Sale）端末機から伝送されたバーコード形態のギフトアイコンの有効性を認証して、上記ＰＯＳ端末機に上記認証完了に相応する認証コードを伝送する。上記認証コードを受信した後に上記バーコード形態のギフトアイコンの使用が許され、上記ＰＯＳ端末機は上記ギフト提供装置に上記ギフトアイコンの受取り完了メッセージを伝送する。
【０１０３】
（第７実施例）
図２２は、本発明の第７実施例による移動端末機を利用したギフトアイコン提供方法を説明するためのメッセージフローチャートである。
【０１０４】
第７実施例では移動端末機１３０の使用者が図２６のＷＡＰページ２５００で‘せがむ’ボタン、即ち、ギフトの受信要請ボタン２５２０を選択した場合にギフトアイコンを提供する方法を提示する。
【０１０５】
移動通信網を介してギフト提供装置３００に接続した移動端末機１３０に、ギフトに相応する製品に関する情報を図２６のＷＡＰページ２５００のように提供する（Ｓ２２１０、Ｓ２２２０）。
【０１０６】
上記移動端末機１３０が上記製品を選択すれば住所録がディスプレイされ、上記製品に相応するギフトに対する決済を要請する受信端末機５００が、上記住所録から少なくとも一つ選択される（Ｓ２２３０）。 
【０１０７】
上記移動端末機１３０が上記ギフトアイコンの受信要請ボタン２５２０を選択すればギフト受信要請メッセージが上記ギフト提供装置３００に伝送され、上記ギフト提供装置３００は上記ギフト受信要請メッセージを上記受信端末機５００に伝達する（Ｓ２２４０、Ｓ２２５０）。 
【０１０８】
上記受信端末機５００が、図３１に示されたようなギフト受信要請メッセージ２９００を受信してそのギフト受信要請メッセージに含まれた内容２９１０を確認した後、上記ギフトの要請に応じる承諾メッセージを選択して上記決済が完了すると、上記ギフトアイコンが上記移動端末機１３０に伝送される（Ｓ２２６０、Ｓ２２７０）。 
【０１０９】
上記受信端末機５００が上記ギフトの要請に応じる承諾メッセージを選択すれば、上記ギフトを要請した上記移動端末機１３０に、上記製品に相応するギフトアイコンが保存されたＵＲＬを含む所定の短文メッセージが伝送される。
【０１１０】
その後、上記移動端末機１３０が上記ＵＲＬを用いて接続し上記ギフトアイコンのダウンロードを要請することで、図３０に示したような上記ギフトアイコンをダウンロードされる。
【０１１１】
以下、段階Ｓ２２８０乃至Ｓ２２９０で、ギフトアイコンを受信した移動端末機１３０に‘答礼する’ボタンがディスプレイされ、それに対して所定のギフトを選択して上記ギフトアイコンを提供した相手方端末機に伝送できるのは、第６実施例での説明と同様である。
【０１１２】
また、上記ギフトアイコンを所持した使用者が所定の商店で上記ギフトを受け取ると、上記商店の端末機から伝送された受取り完了メッセージが上記ギフト提供装置３００に登録されるので、上記ギフトアイコンの使用有無を管理することができる。
【０１１３】
一つの応用例として、上記ギフトアイコンはバーコード形態なので、上記ギフト提供装置３００は所定の商店に設置されたＰＯＳ（Point Of Sale）端末機から伝送されたバーコード形態のギフトアイコンの有効性を認証して、上記ＰＯＳ端末機に上記認証完了に相応する認証コードを伝送する。上記認証コードを受信した後に上記バーコード形態のギフトアイコンの使用が許され、上記ＰＯＳ端末機は上記ギフト提供装置に上記ギフトアイコンの受取り完了メッセージを伝送する。
【０１１４】
（第８実施例）
図２３は、本発明の第８実施例による移動端末機を利用したギフトアイコン提供方法を説明するためのメッセージフローチャートである。
【０１１５】
移動通信網を介してギフト提供装置３００に接続した移動端末機１３０に、ギフトに相応する製品に関する情報が提供されて上記製品のうち一つを選択すると、上記ギフト提供装置３００は、上記移動端末機１３０に連結された住所録を提供して上記住所録のうち少なくとも一つのグループを選択するようにする（Ｓ２３１０、Ｓ２３２０、Ｓ２３３０、Ｓ２３４０）。
【０１１６】
上記移動端末機１３０が上記ギフトアイコンの提供ボタンを選択すると、上記ギフトアイコンが第６及び第７実施例の場合と同様に伝送される（Ｓ２３５０、Ｓ２３６０）。
【０１１７】
上記ギフト提供装置３００は、所定期間における上記ギフトアイコンの発送内訳を、上記ギフトアイコンに対する決済を行った上記移動端末機１３０又は上記受信端末機５００に提供する（Ｓ２３７０、Ｓ２３７５）。 
【０１１８】
図３０乃至図３２を参照すると、移動端末機１３０がギフト提供装置３００に接続して提供されるＷＡＰページでギフトアイコンの提供及び受信管理に関連した［My Gifticon］項目３１００を選択すれば、参照番号３１１０のＷＡＰページが提供され、この時に自らが送ったギフトアイコンの内訳を見ようとする場合は参照番号３１２０の項目を選択する。
【０１１９】
上記参照番号３１２０の［送ったギフティコンの内訳を見る］項目を選択すれば、参照番号３１４０及び３１６０のように、誰にどんなギフトアイコンを提供したのかについてのリストがＷＡＰページにディスプレイされる。一つの応用例として、上記参照番号３１４０及び３１６０のリストは移動端末機１３０のメモリーに保存されていて読み出すことが可能である。
【０１２０】
もし、参照番号３１３０の［受け取ったギフティコンの内訳を見る］項目を選択すれば、参照番号３１５０のように受け取ったギフトアイコンのリストがディスプレイされ、そのうちの一つを選択すれば当該ギフトアイコンに関する詳細情報３１５５が提供される。
【０１２１】
この時、使用者の選択によって、上記ギフトアイコンのリストの中で一つをダウンロード３１７０されて上記移動端末機１３０のメモリーに保存することが可能であり、ダウンロード完了したギフトアイコンの一例が図３０に示されている。一つの応用例として、上記ギフトアイコンは１次元以上のバーコード形態を有する。
【０１２２】
以上、本発明を望ましい実施例を参照しながら詳しく説明したが、本発明は上記の実施例に限定されるものではなく、本発明が属する技術分野における通常の知識を有する者ならば、以下の特許請求の範囲に記載された本発明の要旨を逸脱しない範囲内で、多様な変形又は修正が可能であることは勿論である。
【図面の簡単な説明】
【０１２３】
【図１】本発明の一実施例による通信網を利用したギフトアイコン提供システムを示した図面である。
【図２】本発明の第１実施例による通信網を利用したギフトアイコン提供方法を説明するためのメッセージフローチャートである。
【図３】本発明の第２実施例による通信網を利用したギフトアイコン提供方法を説明するためのメッセージフローチャートである。
【図４】本発明の第３実施例による通信網を利用したギフトアイコン提供方法を説明するためのメッセージフローチャートである。
【図５】本発明の一実施例によるＷｅｂ／ＷＡＰページの一例を示したものである。
【図６】本発明の一実施例によるＷｅｂ／ＷＡＰページの一例を示したものである。
【図７】本発明の一実施例によるＷｅｂ／ＷＡＰページの一例を示したものである。
【図８】本発明の一実施例によるＷｅｂ／ＷＡＰページの一例を示したものである。
【図９】本発明の一実施例によるＷｅｂ／ＷＡＰページの一例を示したものである。
【図１０】本発明の一実施例によるＷｅｂ／ＷＡＰページの一例を示したものである。
【図１１】本発明の第４実施例によるメッセンジャーを利用したギフトアイコン送受信方法を説明するための順序図である。
【図１２】本発明の第５実施例によるメッセンジャーを利用したギフトアイコン送受信方法を説明するための順序図である。
【図１３】本発明の一実施例によるメッセンジャーを利用したギフトアイコン送受信方法を説明するためのＷｅｂ／ＷＡＰページを示したものである。
【図１４】本発明の一実施例によるメッセンジャーを利用したギフトアイコン送受信方法を説明するためのＷｅｂ／ＷＡＰページを示したものである。
【図１５】本発明の一実施例によるメッセンジャーを利用したギフトアイコン送受信方法を説明するためのＷｅｂ／ＷＡＰページを示したものである。
【図１６】本発明の一実施例によるメッセンジャーを利用したギフトアイコン送受信方法を説明するためのＷｅｂ／ＷＡＰページを示したものである。
【図１７】本発明の一実施例によるメッセンジャーを利用したギフトアイコン送受信方法を説明するためのＷｅｂ／ＷＡＰページを示したものである。
【図１８】本発明の一実施例によるメッセンジャーを利用したギフトアイコン送受信方法を説明するためのＷｅｂ／ＷＡＰページを示したものである。
【図１９】本発明の一実施例によるメッセンジャーを利用したギフトアイコン送受信方法を説明するためのＷｅｂ／ＷＡＰページを示したものである。
【図２０】本発明の一実施例によるメッセンジャーを利用したギフトアイコン送受信方法を説明するためのＷｅｂ／ＷＡＰページを示したものである。
【図２１】本発明の第６実施例による移動端末機を利用したギフトアイコン提供方法を説明するためのメッセージフローチャートである。
【図２２】本発明の第７実施例による移動端末機を利用したギフトアイコン提供方法を説明するためのメッセージフローチャートである。
【図２３】本発明の第８実施例による移動端末機を利用したギフトアイコン提供方法を説明するためのメッセージフローチャートである。
【図２４】本発明の実施例による移動端末機を利用したギフトアイコン提供方法を説明するためのＷＡＰページを示したものである。
【図２５】本発明の実施例による移動端末機を利用したギフトアイコン提供方法を説明するためのＷＡＰページを示したものである。
【図２６】本発明の実施例による移動端末機を利用したギフトアイコン提供方法を説明するためのＷＡＰページを示したものである。
【図２７】本発明の実施例による移動端末機を利用したギフトアイコン提供方法を説明するためのＷＡＰページを示したものである。
【図２８】本発明の実施例による移動端末機を利用したギフトアイコン提供方法を説明するためのＷＡＰページを示したものである。
【図２９】本発明の実施例による移動端末機を利用したギフトアイコン提供方法を説明するためのＷＡＰページを示したものである。
【図３０】本発明の実施例による移動端末機を利用したギフトアイコン提供方法を説明するためのＷＡＰページを示したものである。
【図３１】本発明の実施例による移動端末機を利用したギフトアイコン提供方法を説明するためのＷＡＰページを示したものである。
【図３２】本発明の実施例による移動端末機を利用したギフトアイコン提供方法を説明するためのＷＡＰページを示したものである。
【図３３】本発明の実施例による移動端末機を利用したギフトアイコン提供方法を説明するためのＷＡＰページを示したものである。
【図１】
0005401321.tif 000002
【図２】
0005401321.tif 000003
【図５】
0005401321.tif 000004
【図６】
0005401321.tif 000005
【図７】
0005401321.tif 000006
【図８】
0005401321.tif 000007
【図９】
0005401321.tif 000008
【図１０】
0005401321.tif 000009
【図１１】
0005401321.tif 000010
【図１３】
0005401321.tif 000011
【図１４】
0005401321.tif 000012
【図１５】
0005401321.tif 000013
【図１６】
0005401321.tif 000014
【図１７】
0005401321.tif 000015
【図１８】
0005401321.tif 000016
【図１９】
0005401321.tif 000017
【図２０】
0005401321.tif 000018
【図２１】
0005401321.tif 000019
【図２２】
0005401321.tif 000020
【図２３】
0005401321.tif 000021
【図２４】
0005401321.tif 000022
【図２５】
0005401321.tif 000023
【図２６】
0005401321.tif 000024
【図２７】
0005401321.tif 000025
【図２８】
0005401321.tif 000026
【図２９】
0005401321.tif 000027
【図３０】
0005401321.tif 000028
【図３１】
0005401321.tif 000029
【図３２】
0005401321.tif 000030
【図３３】
0005401321.tif 000031
【図３】
0005401321.tif 000032
【図４】
0005401321.tif 000033
【図１２】
0005401321.tif 000034